(57)【要約】【課題】本来の空気清浄機能に加えて、情報表示機能などを備えた多機能の空気清浄機ユニットを提供する。【解決手段】本来の空気清浄化機能に加えて、情報入力手段により入力された情報を情報表示部にて表示させる機能を備え、家族間あるいは商業使用における使用者の情報交換が空気清浄機ユニットを介して行なえるものである。【選択図】図１
2007268436.tif 000002
【特許請求の範囲】
【請求項１】
空気清浄機能を備え、空気の吸込み口及び浄化された空気が放出される排気口を備えた空気清浄機本体と、
前記空気清浄機本体に設けられた情報表示部と、
前記情報表示部に表示すべき情報を入力する情報入力手段と、
前記情報入力手段により入力された情報を記憶すると共に、前記情報入力手段により入力された情報を前記情報表示部に表示させる機能を備えた制御部とを備えた、空気清浄機ユニット。
【請求項２】
室温と湿度の表示部を備えた、請求項１記載の空気清浄機ユニット。
【請求項３】
液晶表示部を有し、地上波デジタル放送受信機能を制御部が有する、請求項１記載の空気清浄機ユニット。
【請求項４】
音声出力手段として平面スピーカをさらに備えた、請求項３記載の空気清浄機ユニット。
【請求項５】
音声出力手段と連動するサウンドレベルメータをさらに備えた、請求項３記載の空気清浄機ユニット。
【請求項６】
充電式非常用電灯部をさらに備えた、請求項１記載の空気清浄機ユニット。
【請求項７】
携帯電話のバッテリーを充電する携帯電話用バッテリ充電部をさらに備えた、請求項１記載の空気清浄機ユニット。
【請求項８】
携帯電話用バッテリ充電部に目隠しカバーを設け、このカバーを着脱可能とした、請求項１記載の空気清浄機ユニット。
【請求項９】
空気清浄機本体上面に携帯電話本体への充電を行なう充電部をさらに設けた、請求項１記載の空気清浄機ユニット。
【請求項１０】
音楽用カードメモリによる音声再生機をさらに有する、請求項１記載の空気清浄機ユニット。
【請求項１１】
前記音声再生機における音楽用カードメモリの挿入部を空気清浄機本体上部に設置した、請求項１０記載の空気清浄機ユニット。
【請求項１２】
人間体温感知センサ及び人動感知センサをさらに備えた、請求項１記載の空気清浄機ユニット。
【請求項１３】
前記人間体温感知センサまたは人動感知センサに応答して音を発するサイレン発砲部をさらに備えた、請求項１２記載の空気清浄機ユニット。
【請求項１４】
前記人間体温感知センサまたは人動感知センサに応答して視覚的に威嚇行なう威嚇ＬＥＤ点滅部をさらに有する、請求項１２記載の空気清浄機ユニット。
【請求項１５】
ランダムに表示点灯されるキャットライトをさらに備えた、請求項１記載の空気清浄機ユニット。
【請求項１６】
空気清浄機本体の遠隔操作行なう手段として空気清浄機遠隔操作リモコンと、空気清浄機遠隔操作リモコン受光部とをさらに備えた、請求項１記載の空気清浄機ユニット。
【請求項１７】
空気清浄機遠隔操作リモコンを収納する手段として、空気清浄機遠隔操作リモコン収納部を設けた、請求項１６記載の空気清浄機ユニット。
【請求項１８】
前記空気清浄機本体の底面部に清掃機能を有するゴミ吸込み口を設けた、請求項１記載の空気清浄機ユニット。
【請求項１９】
前記ゴミ吸込み口に吸引力アップ用吸込み口ガード部を設置した、請求項１８記載の空気清浄機ユニット。
【請求項２０】
前記底面部に車輪可動部を設置した、請求項１記載の空気清浄機ユニット。
【発明の詳細な説明】
【技術分野】
【０００１】
本発明は、空気清浄機能に加えて、家族間での情報交換に使える情報表示装置などの機能を装備した空気清浄機ユニットに関するものである。
【背景技術】
【０００２】
従来の空気清浄機は図１１に示すように、空気清浄機の本体１００の正面上部に設けた空気清浄機操作パネル部１０１を操作することにより、空気清浄機空気吸込み口１０２より室内の空気を吸い込み、空気清浄機の本体１００が備える空気清浄機能部（図示せず）によって清浄化された空気を、空気清浄機排気口１０３より放出するものであった。
【０００３】
なお、以上本発明についての従来技術を、出願人の知得した一般的な技術情報に基づいて説明したが、出願人の記憶する範囲において、出願前までに先行技術文献情報として開示すべき情報を出願人は有していない。
【発明の開示】
【発明が解決しようとする課題】
【０００４】
空気清浄機は、その名のとおり空気を浄化するためのものであって、ある任意の部屋に一旦置かれるとその位置からほとんどの場合は動かされることなく使用されるものであった。そして空気清浄機能以外には日常又は非常時において生活に役立つ機能を持たず、単機能でありその他の多種の機能や能力をもたないものであった。
【０００５】
上記課題を解決する為、本発明は本来の空気清浄機能に加えて、情報入力手段により入力された情報を記憶し、空気清浄機本体に設けた情報表示部によって情報入力手段により入力された情報表示させる機能などを備えた多機能の空気清浄機ユニットを提供することを目的とする。
【課題を解決するための手段】
【０００６】
このような課題を解決するための本発明における空気清浄機ユニットは、空気清浄機能を備え空気の吸込み口および浄化された空気が放出される排気口を備えた空気清浄機本体と、空気清浄機本体に設けられた情報表示部と、情報表示部に表示すべき情報を入力する情報入力手段と、情報入力手段により入力された情報を記憶すると共に、情報入力手段により入力された情報を情報表示部にて表示させる機能を備えた制御部と、から構成されるものである。
【０００７】
また必要により、室温と湿度の表示部や、液晶表示部を有し地上波デジタル放送受信機能を制御部が有する構成や、音声出力手段として平面スピーカをさらに備えた構成、音声出力手段と連動するサウンドレベルメータをさらに備えた構成としてもよい。
【０００８】
さらに、充電式非常用電灯部を備えた構成、携帯電話のバッテリーを充電する携帯電話用バッテリー充電部を備えた構成、またこの携帯電話用バッテリー充電部に目隠しカバーを設ける構成、このカバーを着脱可能とした構成、空気清浄機本体上面に携帯電話本体への充電を行なう充電部を設ける構成などを付加してもよい。
【０００９】
また、音楽用カードメモリによる音声再生機やこの音声再生機における音楽用カードメモリの挿入部を空気清浄機本体上部に設置した構成、人間体温感知センサおよび人動感知センサを備えた構成、人間体温感知センサまたは人動感知センサに応答して音を発するサイレン発砲部を備えた構成、人間体温感知センサまたは人動感知センサに応答して視覚的に威嚇する威嚇ＬＥＤ(Light-Emitting Diode)点滅部を有する構成、ランダムに表示点灯されるキャットライトを備えた構成、空気清浄機本体の遠隔操作行なう手段として空気清浄機遠隔操作リモコンと、空気清浄機遠隔操作リモコン受光部とを備えた構成、空気清浄機遠隔操作リモコンを収納する手段として空気清浄機遠隔操作リモコン収納部を設けた構成、空気清浄機本体の底面部に清掃機能を有するゴミ吸込み口を設けた構成、底面部に車輪可動部を設置した構成、ゴミ吸込み口に吸引力アップ用吸込み口ガード部を設置した構成を付加的に適宜設けてもよい。
【発明の効果】
【００１０】
本発明の空気清浄機ユニットにおいては、特に本来の空気清浄化機能に加えて、情報入力手段により入力された情報を記憶すると共に、空気清浄機本体に設けられた情報表示部と、情報表示部に表示すべき情報を入力する情報入力手段と、情報入力手段により入力された情報を情報表示部にて表示させる機能を備えた制御部とを備えた構成により、家族間あるいは商業使用における使用者の情報交換が空気清浄機ユニットを介して行なえ、コミュニケーションやＰＲ効果が得られるものである。また、これらの機能をメモ代わりに備忘録として役立てることもできる。
【発明を実施するための最良の形態】
【００１１】
［第１の実施の形態］
図１は本発明の第１の実施の形態に係る多機能空気清浄機ユニットの斜視図である。空気清浄機本体１は正面上部に設けた空気清浄機操作パネル部２を操作することにより、空気清浄機の空気の吸込み口３より室内の空気を吸い込み、空気清浄機本体１が備える空気清浄機能部（図示せず）によって浄化された空気を排気口４より放出する構成となっている。空気清浄機本体１には情報表示部としての透過ＬＥＤにより構成されるテロップ部５が前面上部に設置されている。この透過ＬＥＤテロップ部５は、左から右にあらかじめ入力設定した文字がスクロール表示される構成となっている。テロップ部５に表示される情報を入力するためテロップ部の上部には、情報入力手段としてタッチパネル６が配置されている。
【００１２】
さらに、空気清浄機本体１の内部には、情報入力手段であるタッチパネル６により入力された情報を記憶すると共に、入力された情報を情報表示部としてのテロップ部５に表示させる機能を行なう制御部（図示せず）が設けられている。なおさらに、音声をあらかじめ設定した任意の時間（３０秒から１分程度）吹き込めるような機能を伝言メモ機能として付加的に備えてもよい。
【００１３】
以上の構成により、家族が留守で行き違いの際、家族間でのコミュニケーションが図れるものである。またメモ代わりに備忘録としても役立つ物である。また、前面下部にはその時々における室内の温度、湿度を表示することの出来る表示部として大型のＬＥＤ表示モニター７設置している。この温度、湿度の表示部で、その時々における室内の温度、湿度を知ることが出来、瞬時に部屋の温湿度管理等を行なうことができる。
［第２の実施の形態］
図２は本発明の第２の実施の形態に関わる多機能空気清浄機ユニットの斜視図である。本実施の形態では、空気清浄機本体１に８インチ液晶表示部８を有しており、またこの８インチ液晶表示部８は、タッチパネルを兼ねており、情報入力手段として機能する。８インチ液晶表示部８はタッチパネル機能によって入力された情報を表示する情報表示部として機能する。またさらに、地上波デジタル放送受信機能を制御部が有し、受信した情報を８インチ液晶表示部８によって表示する。
【００１４】
また、空気清浄機本体１は、音声出力手段として平面スピーカ９を備えるとともに、平面スピーカ９より出力される音声に連動するサウンドレベルメータ１０をさらに備えている。この実施の形態としての多機能空気清浄機ユニットは前面上部に8インチ液晶TVモニター８を設置しているので、空気清浄機の機能はそのままで場所を取らずに省スペースで、美しい地上波デジタル映像を楽しむことができる。また、前面下部両サイド側には液晶モニター使用時の音声出力方法として平面スピーカ９を設置し、省スペースで良質な音声を楽しむことができる。
【００１５】
さらに、音声を光輝度なＬＥＤにより構成されるサウンドレベルメータ１０を使用することにより、躍動的な音の動きを楽しむことができる。その他の基本構成で第１の実施の形態と同じ構成は、第１の実施の形態と同じ番号を付し説明を省略する。
［第３の実施の形態］
図３は、本発明の第３の実施の形態における多機能空気清浄機ユニットの斜視図である。この実施の形態では、空気清浄機本体１に充電式非常用電灯部１１を設置している。この構成により、普段の商用電源からの電力供給が行なわれてる際に充電を行なっておき、非常時には電灯の代わりに充電式非常用電灯部１１が電灯として機能する。その他の基本構成で第１の実施の形態と同じ構成は、第１の実施の形態と同じ番号を付し説明を省略する。
［第４の実施の形態］
図４は、本発明の第４の実施の形態における多機能空気清浄機ユニットの斜視図である。この実施の形態では、携帯電話のバッテリーや予備バッテリーを空気清浄機本体１で充電できるよう携帯電話用バッテリー充電部１２を空気清浄機本体１に設置している。また、バッテリーへの充電を行なわない時のために目隠しカバー１３を備え、携帯電話用バッテリー充電部１２を覆うことが可能となっている。その他の基本構成で第１の実施の形態と同じ構成は、第１の実施の形態と同じ番号を付し説明を省略する。
【００１６】
この多機能空気清浄機ユニットは携帯電話のバッテリーを空気清浄機本体で充電できるようにしたもので、従来専用のホルダーでバッテリーもしくは予備バッテリーの充電を行なわなければならなかったが、この実施の形態では専用のホルダーを使用しなくてよく、場所を取らずに充電を行なえるようにしたものである。また、この充電用のバッテリーを挿入しない場合は、目隠しカバー１３でこの箇所を埋め込み、空気清浄機ユニットの形状、デザインを損なわないように配慮もされている。
［第５の実施の形態］
図５は、本発明の第５の実施の形態における多機能空気清浄機ユニットの斜視図である。この多機能空気清浄機ユニットは、空気清浄機本体１の上面に、携帯電話本体（図示せず）への充電を行なう充電部１４を設けたことを特徴としている。その他の基本構成で第１の実施の形態と同じ構成は、第１の実施の形態と同じ番号を付して説明を省略する。この実施の形態では、使用する電波形式の違う携帯電話本体へも充電が出来るよう、ユニバーサルな充電機能を備えるように充電部の形状を考慮されたものである。
［第６の実施の形態］
図６は、本発明の第６の実施の形態における多機能空気清浄機ユニットの斜視図である。この多機能空気清浄機ユニットでは空気清浄機本体１の上部に音楽用カードメモリであるSDカードなどによる音声再生機１５を備え、この音声再生機１５のミュージック操作部１６によって、最近の音楽メディアの主流になりつつあるSDカードでの音楽再生を操作する機能を持つ。また、音楽用カードメモリであるSDカードの挿入部１７を空気清浄機ユニットの機能を損なわないように空気清浄機本体１の上部に設置している。その他の基本構成で第１の実施の形態と同じ構成は、第１の実施の形態と同じ番号を付し説明を省略する。
［第７の実施の形態］
図７は、本発明の第７の実施の形態における多機能空気清浄機ユニットの斜視図である。この多機能空気清浄機ユニットでは、空気清浄機本体１に、人間体温感知センサおよび人動感知センサ１８を複数個設置している。そして、この人間体温感知センサおよび人動感知センサ１８が機能した際に、けたたましい音で警報を発するサイレン発砲部１９を備え、また視覚的にも威嚇行なう威嚇ＬＥＤ点滅部２０をも設けた構成となっている。その他の基本構成で第１の実施の形態と同じ構成は、第１の実施の形態と同じ番号を付し説明を省略する。
【００１７】
この多機能空気清浄機ユニットは、人間体温感知センサおよび人動感知センサ１８を設置しているので、室内に不審者が侵入した際には、それぞれの人間体温感知センサおよび人動感知センサ１８が反応し、これが機能した際にけたたましい音でサイレン発砲部１９より大音量を発する機能および、威嚇ＬＥＤ点滅部２０により視覚的に不審者への威嚇を行なう機能を持ったものである。
［第８の実施の形態］
図８は、本発明の第８の実施の形態における多機能空気清浄機ユニットの斜視図である。この多機能空気清浄機ユニットでは、空気清浄機本体１にペットのいる家庭での遊び心機能としてキャットライト２１を設けられている。その他の基本構成で第１の実施の形態と同じ構成は、第１の実施の形態と同じ番号を付し説明を省略する。
【００１８】
この多機能空気清浄機ユニットでは、ペットのいる家庭での遊び心機能として
高輝度LEDで構成されたキャットライト２１を設けているので、特に愛猫家の間でこれをランダムに表示点灯させることにより、複数の高輝度LEDを追いかけさせて遊ばせる機能を持ったものである。
［第９の実施の形態］
図９は、本発明の第９の実施の形態における多機能空気清浄機ユニットの斜視図である。この多機能空気清浄機ユニットでは、空気清浄機本体１の遠隔操作行なう手段として空気清浄機遠隔操作リモコン２２と、空気清浄機遠隔操作リモコン２２の信号を受信する側として空気清浄機遠隔操作リモコン受光部２３を備えている。またさらに、空気清浄機遠隔操作リモコン２２を未使用時に収納する手段として空気清浄機遠隔操作リモコン収納部２４を設けている。その他の基本構成で第１の実施の形態と同じ構成は、第１の実施の形態と同じ番号を付し説明を省略する。
【００１９】
一般に能空気清浄機ユニットは、一度設置すると殆んど動かすことなく動作させることが多かったが、本実施の形態では、空気清浄機を遠隔操作する手段として空気清浄機遠隔操作リモコン２２を使用することにより、容易に任意の場所に移動させて動作させることができる。また、空気清浄機本体１への遠隔操作を行なわない際には、空気清浄機遠隔操作リモコン収納部２４を設けているので紛失することが防止できるものである。
［第１０の実施の形態］
図１０は、本発明の第１０の実施の形態における多機能空気清浄機ユニットの
底面図である。この多機能空気清浄機ユニットでは、空気清浄機本体１の底部に清掃機能としてゴミ吸込み口２５を設け、また底面部には車輪可動部２６を設置している。またさらに、底面部にゴミ吸引力アップ用吸込み口ガード部２７を設置している。ゴミ吸引力アップ用吸込み口ガード部２７は、空気清浄機本体１の底面部に設けた床などとの隙間からゴミが吸引方向zに移動してゴミ吸い込み口２５に吸い込まれる際の、ゴミ吸入の吸入力をアップさせるため、空気清浄機本体１が設置される面（床など）と空気清浄機本体１底面との隙間を調整するためのものである。また、空気清浄機本体１の底部には空気清浄機充電バッテリー部２８を備えており、他の実施形態においても同様である。その他の基本構成は第１の実施の形態と同じ構成であり、説明を省略する。
【００２０】
この多機能空気清浄機ユニットは空気清浄機の本来の機能に加えて底面部に清掃機能としてゴミ吸込み口２５を設けているため、空気の清浄を行なうだけでなく部屋のほこり、ゴミ等の掃除を行ない、かつ底面部には車輪可動部２６を設置しているのでこの空気清浄機ユニットの可動を安易にする。また、底面部にゴミ吸引力アップ用吸込み口ガード部２７により掃除を行なう際の吸引力アップが図れる。
【００２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２２】
本発明の空気清浄機ユニットは、本来の空気清浄化機能に加えて、情報入力手段により入力された情報を記憶すると共に、空気清浄機本体に設けられた情報表示部と、情報表示部に表示すべき情報を入力する情報入力手段と、情報入力手段により入力された情報を情報表示部にて表示させる機能を備えた制御部とを備えた構成により、家族間あるいは商業使用における使用者の情報交換が空気清浄機ユニットを介して行なえ、コミュニケーションやＰＲ効果が期待される家庭用、業務用に広く利用できる可能性有するものである。
【図面の簡単な説明】
【００２３】
【図１】本発明の第１の実施の形態における多機能空気清浄機ユニットの斜視図である。
【図２】本発明の第２の実施の形態における多機能空気清浄機ユニットの斜視図である。
【図３】本発明の第３の実施の形態における多機能空気清浄機ユニット斜視図である。
【図４】本発明の第４の実施の形態における多機能空気清浄機ユニットの斜視図である。
【図５】本発明の第５の実施の形態における多機能空気清浄機ユニットの斜視図である。
【図６】本発明の第６の実施の形態における多機能空気清浄機ユニットの斜視図である。
【図７】本発明の第７の実施の形態における多機能空気清浄機ユニットの斜視図である。
【図８】本発明の第８の実施の形態における多機能空気清浄機ユニットの斜視図である。
【図９】本発明の第９の実施の形態における多機能空気清浄機ユニットの斜視図である。
【図１０】本発明の第１０の実施の形態における多機能空気清浄機ユニットの底面図である。
【図１１】従来の空気清浄機の斜視図である。
【符号の説明】
【００２４】
１  空気清浄機本体、２  空気清浄機操作パネル部、３  吸込み口、４  排気口、５  テロップ部、６  タッチパネル、８  ８インチ液晶表示部、９  平面スピーカ、１０  サウンドレベルメータ、１１  充電式非常用電灯部、１２  携帯電話用バッテリー充電部、１３  目隠しカバー、１４  充電部、１５  音声再生機、１７  SDカードの挿入部、１８  人間体温感知センサおよび人動感知センサ、１９  サイレン発砲部、２０  威嚇LED点滅部、２１  キャットライト、２２  空気清浄機遠隔操作リモコン、２３  空気清浄機遠隔操作リモコン受光部、２４  空気清浄機遠隔操作リモコン収納部、２５  ゴミ吸込み口、２６  車輪可動部、２７  ゴミ吸引力アップ用吸込み口ガード部。
【図１】
2007268436.tif 000003
【図２】
2007268436.tif 000004
【図３】
2007268436.tif 000005
【図４】
2007268436.tif 000006
【図５】
2007268436.tif 000007
【図６】
2007268436.tif 000008
【図７】
2007268436.tif 000009
【図８】
2007268436.tif 000010
【図９】
2007268436.tif 000011
【図１０】
2007268436.tif 000012
【図１１】
2007268436.tif 000013